(57)【要約】【課題】  雨水と共に貯留槽内に流入した土砂などを貯留槽の槽底面に滞留させることなく所定の排出個所に確実に誘導して排出することができる雨水貯留槽底部材および該槽底部材を用いた雨水貯留槽を提供する。【解決手段】  雨水貯留槽底部材は、上面が、土砂を流動させて誘導するように、一端部から他端部に向かって緩く下降傾斜している。雨水と共に貯留槽内に流入した土砂などは、槽底部材２１〜２４により形成される槽底面２Ａの流動傾斜に沿って排砂溝２Ｂに誘導され、この排砂溝２Ｂの流動傾斜に沿って砂溜まり２Ｃに誘導されるため、貯留槽の天井部に埋設されたマンホール８の点検口からバキュームホースなどを挿入することで排出可能となる。【選択図】  図１
2006342519.tif 000002
【特許請求の範囲】
【請求項１】
雨水等を利用可能または浸透排水可能に貯留するように構築される貯留槽であって、槽内には合成樹脂により一体成形されている雨水貯留槽底部材において、上面が、一端部から他端部に向かって緩く下降傾斜していることを特徴とする雨水貯留槽底部材。
【請求項２】
槽底部材が面方向に沿って、縦方向および／または横方向に複数に分割されていることを特徴とする請求項１に記載の雨水貯留槽底部材。
【請求項３】
槽底部材の下面が開放されたボックス状に成形され、その内部には、左右の側壁部と天板部とを相互に連結する補強リブが一体に成形されていることを特徴とする請求項１または２に記載の雨水貯留槽底部材。
【請求項４】
槽底部材の天板部に充填体の脚部が挿入される貫通孔が形成されていることを特徴とする請求項１〜３のいずれかに記載の雨水貯留槽底部材。
【請求項５】
雨水等を利用可能または浸透排水可能に貯留するように構築される貯留槽であって、槽内には空隙形成用の複数の充填体が充填される雨水貯留槽において、土砂の流動傾斜を有する槽底面を形成するように槽底に敷設される槽底部材と、この槽底部材により形成される槽底面の低位部に土砂の流動傾斜を有して連続する排砂溝と、この排砂溝の低位部に連続する砂溜まりと、この砂溜まりから土砂を排出可能な点検口とを備えていることを特徴とする雨水貯留槽。
【請求項６】
槽底部材が槽底の面方向に沿って、縦方向および／または横方向に分割された複数のパーツで構成されていることを特徴とする請求項５に記載の雨水貯留槽。
【請求項７】
槽底部材には、前記充填体に設けられた支持脚が挿入される貫通孔が形成されていることを特徴とする請求項５または６に記載の雨水貯留槽。
【請求項８】
貯留槽の上部には放水用穴が設けられていることを特徴とする請求項５〜７の何れかに記載の雨水貯留槽。
【発明の詳細な説明】
【技術分野】
【０００１】
この発明は、雨水等を利用可能または浸透排水可能に貯留するように公園などの地下に構築される雨水貯留槽の底部に敷設する槽底部材および該槽底部材を用いた雨水貯留槽に関するものである。
【背景技術】
【０００２】
雨水等を利用可能または浸透排水可能に貯留するように公園などの地下に構築される雨水貯留槽が従来一般に知られている。この種の雨水貯留槽の槽内には、上方からの荷重と横方向からの土圧に抗して空隙を形成するための複数の充填体が縦横に並べて上下に積み重ねられている（特許文献１、２参照）。
【０００３】
ここで、特許文献１には、雨水と共に貯留槽内に流入して充填体に堆積した土砂などを除去できるように、充填体間に散水管または散気管を配設し、貯留槽の底面に排出溝を形成した構造が開示されている。
【０００４】
また、特許文献２には、雨水と共に貯留槽内に流入した土砂などを所定個所に誘導してバキュームホース等により吸い出し可能とするため、貯留槽の底部に配設される各充填体に傾斜板部を設けた構造が開示されている。
【特許文献１】特開２０００−１６０６０６号公報
【特許文献２】特開２００４−５２２４３号公報
【発明の開示】
【発明が解決しようとする課題】
【０００５】
ところで、特許文献１に記載された雨水貯留槽の構造においては、充填体に堆積した土砂などを散水管から噴射される散水などにより除去することができるものの、除去された土砂などは、貯留槽の槽底面に形成された排出溝に排出される過程で槽底面に堆積し易い。また、特許文献２に記載された雨水貯留槽の構造においては、雨水と共に貯留槽内に流入した土砂などが各充填体を透過して槽底面に堆積する虞がある。
【０００６】
そこで、この発明は、雨水と共に貯留槽内に流入した土砂などを貯留槽の槽底面に滞留させることなく所定の排出個所に確実に誘導して排出することができる雨水貯留槽および雨水貯留槽底部材を提供することを課題とする。
【課題を解決するための手段】
【０００７】
この発明に係る雨水貯留槽底部材は、上面が、土砂を流動させて誘導するように、一端部から他端部に向かって緩く下降傾斜していることを特徴とする。槽底部材は、面方向に沿って、縦方向および／または横方向に複数に分割されていてもよく、下面が開放されたボックス状に成形され、その内部には、左右の側壁部と天板部とを相互に連結する補強リブが一体に成形されていてもよい。さらに、槽底部材は、天板部に充填体の脚部が挿入される貫通孔が形成されていることが好ましい。
【０００８】
この発明に係る雨水貯留槽は、雨水等を利用可能または浸透排水可能に貯留するように構築される貯留槽であって、槽内には空隙形成用の複数の充填体が充填される雨水貯留槽において、土砂の流動傾斜を有する槽底面を形成するように槽底に敷設される槽底部材と、この槽底部材により形成される槽底面の低位部に土砂の流動傾斜を有して連続する排砂溝と、この排砂溝の低位部に連続する砂溜まりと、この砂溜まりから土砂を排出可能な点検口とを備えていることを特徴とする。
【０００９】
この発明に係る雨水貯留槽では、雨水と共に貯留槽内に流入した土砂などは、槽底部材により形成される槽底面の流動傾斜に沿って排砂溝に誘導され、この排砂溝の流動傾斜に沿って砂溜まりに誘導されるため、貯留槽の点検口から排出可能となる。
【００１０】
この発明の雨水貯留槽において、槽底部材が槽底の面方向に分割された複数のパーツで構成されていると、面積の広い槽底にも容易に槽底部材を敷設できるので好ましい。
【００１１】
また、充填体に設けられた支持脚が挿入される貫通孔が槽底部材に形成されていると、土砂の流動傾斜を有する槽底部材上に充填体を起立姿勢で積み重ねることができるので好ましい。
【００１２】
さらに、貯留槽の上部に放水用穴が設けられていると、貯留槽内に充填される複数の充填体に堆積した土砂などを放水により除去することができるので好ましい。
【発明の効果】
【００１３】
この発明に係る雨水貯留槽底部材によれば、雨水と共に貯留槽内に流入した土砂などを槽底部材により形成される槽底面の流動傾斜に沿って排砂溝に誘導することができる。
【００１４】
この発明の雨水貯留槽底部材において、槽底部材が面方向に沿って、縦方向および／または横方向に複数に分割されている場合、面積の広い槽底にも容易に槽底部材を敷設できるから、重機を持ち込めない場所でも人手だけで施工できる。
【００１５】
この発明の雨水貯留槽底部材において、槽底部材の下面が開放されたボックス状に成形され、その内部には、左右の側壁部と天板部とを相互に連結する補強リブが一体に成形されている場合、槽底部材の縦方向および横方向の強度が向上する。
【００１６】
この発明の雨水貯留槽底部材において、槽底部材の天板部に充填体の脚部が挿入される貫通孔が形成されている場合、土砂の流動傾斜を有する槽底部材上に充填体を起立姿勢で積み重ねることができ、充填体の位置決めが容易になるばかりでなく、充填体同士の縦横方向の連結を省略することができるから施工が容易になる。
【００１７】
この発明に係る雨水貯留槽によれば、雨水と共に貯留槽内に流入した土砂などを槽底部材により形成される槽底面の流動傾斜に沿って排砂溝に誘導し、この排砂溝の流動傾斜に沿って砂溜まりに誘導することができる。そして、砂溜まりに誘導された土砂などを貯留槽の点検口から排出することができる。
【００１８】
また、この発明の雨水貯留槽において、貯留槽の上部に放水用穴が設けられている場合、貯留槽内に充填される複数の充填体に堆積した土砂などを放水により除去することができるから、貯留の維持管理が容易である。
【発明を実施するための最良の形態】
【００１９】
以下、図面を参照してこの発明に係る雨水貯留槽底部材の実施の形態を説明する。参照する図面において、図２は一実施形態に係る雨水貯留槽底部材を示す斜視図、図３は槽底部材の分解斜視図、図４は槽底部材の一つの縦断面図である。
【００２０】
一実施形態に係る雨水貯留槽底部材２は、例えば図２に示すように、貯留槽の槽底部２の上面である槽底面２Ａ、すなわち、各槽底部材２１〜２４の上面で構成される槽底面２Ａは、槽底部材の長手方向の一端部から他端部に向かって土砂を流動させて誘導するように緩く下降傾斜しており、その下降傾斜の度合は０〜３％であり、傾斜は必ずしも一定でなくても良く、例えば、コンケーブ状またはコンベックス状であっても良い。
【００２１】
各槽底部材２１〜２４は、例えば図３に示すように、槽底部２を面方向に沿って縦方向に４分割、横方向に４分割した形状のパーツであり、これらを槽底の地盤に縦横に敷設することで槽底部２が構成される。これらの槽底部材２１〜２４は、適宜の合成樹脂により所定の形状および構造に一体成形されている。
【００２２】
ここで、各槽底部材２１〜２４を代表して槽底部材２４の形状および構造を説明すると、図４に示すように、槽底部材２４は、下面が開放されたボックス状に成形されており、その上面２４Ａは、槽底面２Ａの一部を構成するように緩く傾斜している。この槽底部材２４の内部には、左右の側壁部２４Ｂと天板部２４Ｃとを相互に連結する補強リブ２４Ｄが一体に成形されている。そして、この槽底部材２４の天板部２４Ｃには、図１に示した充填体３の各脚部３Ｃが挿入される複数の貫通孔２４Ｅが形成されている。他の槽底部材２１〜２３も槽底部材２４と略同様に構成されている。
【００２３】
次に、図面を参照してこの発明に係る雨水貯留槽の実施の形態を説明する。参照する図面において、図１は一実施形態に係る雨水貯留槽の全体構造を概略的に示す縦断面図である。
【００２４】
一実施形態に係る雨水貯留槽は、例えば図１に示すように、雨水等を利用可能に貯留するように公園などの地下に構築される。この雨水貯留槽は、周壁部１がコンクリートで構成され、槽底部２の殆どの部分が槽底の地盤に敷設される槽底部材２１〜２４で構成されている。そして、周壁部１の内面および槽底部２の下の槽底の地盤は図示しない遮水性シートで適宜覆われている。
【００２５】
この貯留槽は平面視において略長方形を呈し、その槽内には、空隙形成用の複数の充填体３が槽底部２上に縦横に並べて上下多段に積み重ねられている。そして、最上段に積み重ねられた各充填体３の上面には、貯留槽の天井部を構成するための蓋体４がそれぞれ載置されて敷き詰められている。
【００２６】
敷き詰められた各蓋体４の上面には透水性シート５が敷設され、その上には礫層６および土層７が順次施工されており、これらで貯留槽の天井部が構成されている。そして、この天井部には、開閉蓋８Ａを有するマンホール８が貯留槽の長手方向の一端部の中央部に点検口を構成するように埋設されると共に、開閉蓋９Ａを有する筒体９が貯留槽の長手方向の他端部に放水用穴を構成するように埋設されている。なお、マンホール８及び筒体９は貯留槽の天井部に設けることなく、貯留槽の上部周壁部に設けても良い。
【００２７】
また、貯留槽の天井部に埋設される筒体９内には、貯留槽内に放水するための図示しない放水用パイプが設置されると共に、貯留槽内に貯留された雨水を吸水するための図示しない吸水用パイプが設置される。
【００２８】
また、図示するのを省略したが、地上の側溝や排水溝から雨水を貯留槽に導入する導入管や、オーバーフロー用排水溝等を設けることができる。
【００２９】
この発明に係る雨水貯留槽は、前述した一実施形態に限定されるものではない。例えば、貯留槽の周壁部１は、コンクリートで成形する代わりに、遮水性シートまたは透水性シートを張設して充填体の側面を覆い、そのシートの外側を土砂で埋め戻してもよい。なお、地盤面に透水性シートを張設した場合には、余剰の雨水を浸透排水可能に貯留する浸透雨水貯留槽を構成することができる。
【００３０】
充填体３は適宜の合成樹脂により一体に成形されたものであり、例えば図５に示すように、略正方形の枠部３Ａと、枠部３Ａの対角線方向に沿って斜めに交差することで枠部３Ａの内側を相互に連結する複数のリブ３Ｂと、枠部３Ａの４隅部分および各リブ３Ｂの交差部分から下方に突出する複数本の脚部３Ｃとを有する。
【００３１】
充填体３の各脚部３Ｃは、小径の嵌合部３Ｄを下端部に有する段付きパイプ状に形成されており、下段の充填体３の上面に開口する各脚部３Ｃの嵌合穴３Ｅに上段の充填体３の各脚部３Ｃの嵌合部３Ｄが嵌合できるようになっている。このため、複数の充填体３は、各脚部３Ｃの嵌合穴３Ｅに嵌合部３Ｄを嵌合させることで、上下に安定的に積み重ねることができる。
【００３２】
蓋体４は、適宜の合成樹脂により充填体３の上面に合致する略正方形の板状に成形されている。この蓋体４には、例えば図７に示すように縦横に配列された複数の透水孔４Ａが貫通して形成されている。
【００３３】
なお、図示省略したが、各充填体３の枠部３Ａの外周面には、各充填体３を縦横に並べて相互に連結するためのホゾや溝などの適宜の連結部が一体に成形されている。また、各充填体３の各脚部３Ｃの上部の嵌合穴３Ｅ内には、水平断面十字形の補強用リブが一体に形成されている。
【００３４】
この発明に係る雨水貯留槽に使用する充填体は、上記の実施形態に限定されるものではなく、公知の種々の充填体に置き換えることが可能である。例えば、図６(ａ)に示すように側壁が底部に向って小さくなるテーパー状に構成した容器状充填体、図６(ｂ)に示すように平板を複数の連続する山型に折り曲げ、山頂部と谷部に嵌合部を設けた充填体、図６(ｃ)に示すように基盤の一方の側から脚部を延在させた充填体、あるいは図６(ｄ)に示すように矩形の傾斜板の上下に連結部を設けた充填体であってもよい。
【００３５】
ここで、図１および図２に示すように、貯留槽の槽底部２の上面である槽底面２Ａ、すなわち、各槽底部材２１〜２４の上面で構成される槽底面２Ａは、筒体９が配置された貯留槽の長手方向の他端部からマンホール８が配置された貯留槽の長手方向の一端部に向かって土砂を流動させて誘導するように０〜３％で緩く下降傾斜しており、この下降傾斜が土砂の流動傾斜となっている。
【００３６】
図１に示すように、貯留槽の長手方向の一端部側には、周壁部１に連続して排砂溝２Ｂおよび砂溜まり２Ｃが形成されている。排砂溝２Ｂは、土砂の流動傾斜を有する槽底面２Ａの低位部、すなわち槽底部材２１の上面の低位部に連続している。この排砂溝２Ｂは、図７に示すように、貯留槽の長手方向と直交する短手方向の両端部から中央部に向かって土砂を流動させて誘導するように０〜３％で緩く下降傾斜しており、この下降傾斜が土砂の流動傾斜となっている。
【００３７】
一方、砂溜まり２Ｃは、土砂の流動傾斜を有する排砂溝２Ｂの低位部に連続しており、槽底面２Ａの流動傾斜および排砂溝２Ｂの流動傾斜に沿って流動する土砂を受け入れるように構成されている。この砂溜まり２Ｃの上方の天井部には、バキュームホースなどによって砂溜まり２Ｃから土砂を吸引排出するための点検口を構成するマンホール８が配置されている。
【００３８】
以上のように構成された一実施形態の雨水貯留槽では、降雨による雨水は土層７および礫層６を浸透し、この雨水が透水性シート５および各蓋体４の透水孔４Ａを透過して貯留槽内の各充填体３間の空隙に貯留される。また、雨水導入管を設けている場合には、さらに雨水導入管を介して貯留される。そして、貯留槽内に貯留された雨水は、貯留槽の天井部の筒体９内に設置された吸水用パイプ（図示省略）から適宜吸水されて公園内の芝生への散布用などに再利用される。
【００３９】
ここで、雨水と共に貯留槽内に流入した土砂などは、貯留槽の槽底部２の槽底面２Ａ、すなわち、各槽底部材２１〜２４の上面で構成される槽底面２Ａの流動傾斜に沿って誘導されることで排砂溝２Ｂ内に流動する。そして、排砂溝２Ｂ内に流動した土砂などは、排砂溝２Ｂの流動傾斜に沿って誘導されることで砂溜まり２Ｃ内に堆積する。
【００４０】
また、貯留槽内に充填されている複数の充填体３に堆積した土砂などは、貯留槽の天井部の筒体９内に設置された放水用パイプ（図示省略）から各充填体３に向けて放水することにより、貯留槽の槽底面２Ａに流下し、槽底面２Ａの流動傾斜に沿って排砂溝２Ｂ内に誘導され、この排砂溝２Ｂの流動傾斜に沿って砂溜まり２Ｃ内に誘導されて堆積する。
【００４１】
従って、一実施形態の雨水貯留槽においては、マンホール８から砂溜まり２Ｃにバキュームホースなどを挿入して砂溜まり２Ｃ内に堆積した土砂などを吸引排出することが可能となる。なお、充填体３の平面開口部に前記バキュームホースを挿通可能な場合は、マンホールの下方に充填体を充填しても良いが、充填体に大きな平面開口がない場合は、マンホールの下方には充填体を充填しない。
【００４２】
この発明に係る雨水貯留槽は、前述した一実施形態に限定されるものではない。例えば、貯留槽の面積が比較的に小さい場合には、図２に示した槽底部２は、単一の槽底部材で構成してもよい。また、槽底部２の槽底面２Ａは、図８に示すように、貯留槽の長手方向の中央部から両側の一端部および他端部に向かって土砂を誘導するように０〜３％で緩く下降する流動傾斜を備えた山形断面の槽底面２Ｄに変更してもよい。この場合、貯留槽の長手方向の他端部側にも長手方向の一端部側に形成された排砂溝２Ｂおよび砂溜まり２Ｃと同様の排砂溝２Ｂおよび砂溜まり２Ｃを形成する。
【００４３】
また、図２に示した槽底面２Ａは、図９に示すように、貯留槽の長手方向と直交する短手方向の両端部から中央部へ向かって土砂を誘導するように０〜３％で緩く下降する流動傾斜を備えた谷形断面の槽底面２Ｅに変更してもよい。この場合、槽底面２Ｅの低位部に連続する排砂溝は、貯留槽の長手方向の一端部から他端部へ向かって０〜３％で緩く下降する流動傾斜を備えた排砂溝２Ｆとし、この排砂溝２Ｆの低位部に連続する砂溜まり２Ｇを貯留槽の長手方向の他端部側に形成する。
【００４４】
さらに、この発明の雨水貯留槽は、図１０に示すような円形の平面形状とし、円形の槽底部の上面の槽底面を中央部から周辺部に向かって土砂を誘導するように０〜３％で緩く下降する流動傾斜を備えた低い円錐状の槽底面２Ｈとしてもよい。この場合、槽底面２Ｈの低位部に連続する排砂溝２Ｊは、槽底面２Ｈの周囲の片側から反対側に向かって土砂を誘導するように０〜３％で緩く下降する流動傾斜を備えた環状の排砂溝２Ｊとし、この排砂溝２Ｊの低位部に連続する砂溜まり２Ｋを槽底面２Ｈの周囲に形成する。
【００４５】
ここで、図８〜図１０に示した槽底面２Ｄ、２Ｅ、２Ｈは、単一の槽底部材の上面で構成してもよいし、複数のパーツに分割された一群の槽底部材の上面で構成してもよい。
【００４６】
また、図１に示した周壁部１の内面および槽底部２の下の槽底の地盤を適宜覆う遮水性シート（図示省略）を透水性シートに変更すれば、余剰の雨水を浸透排水可能に貯留する雨水貯留槽を構成することができる。
【００４７】
この発明における槽底部材により形成される槽底面の形状は、上記実施形態に限定されるものではなく、上記各実施形態の槽底部材を適宜組み合わせて形成することができる。従って、槽底部材により形成される槽底面の形状は、一または複数の砂溜まりへ連続する流動傾斜を有する排砂溝を設け、流動傾斜を有する槽底面の低位部が前記排砂溝に連続する構成であればよい。
【図面の簡単な説明】
【００４８】
【図１】この発明の一実施形態に係る雨水貯留槽の全体構造を概略的に示す縦断面図である。
【図２】一実施形態に係る雨水貯留槽底部材示す斜視図である。
【図３】図１および図２に示した槽底部材の分解斜視図である。
【図４】図１および図２に示した槽底部材の一つの縦断面図である。
【図５】図１に示した充填体の構造を示す斜視図である。
【図６】充填体の他の実施形態を示す正面図、斜視図又は断面図である。
【図７】図１に示した蓋体の構造を示す斜視図である。
【図８】図２に示した雨水貯留槽の槽底面の変形例を模式的に示す斜視図である。
【図９】図２に示した雨水貯留槽の槽底面の他の変形例を模式的に示す斜視図である。
【図１０】他の実施形態に係る雨水貯留槽の槽底面を模式的に示す斜視図である。
【符号の説明】
【００４９】
１    周壁部
２    槽底部  
２Ａ  槽底面
２Ｂ  排砂溝
２Ｃ  砂溜まり
３    充填体
４    蓋体
５    透水性シート
６    礫層
７    土層
８    マンホール
９    筒体
２１〜２４  槽底部材
【図１】
2006342519.tif 000003
【図２】
2006342519.tif 000004
【図３】
2006342519.tif 000005
【図４】
2006342519.tif 000006
【図５】
2006342519.tif 000007
【図６】
2006342519.tif 000008
【図７】
2006342519.tif 000009
【図８】
2006342519.tif 000010
【図９】
2006342519.tif 000011
【図１０】
2006342519.tif 000012